(57)【要約】      （修正有）【課題】装着するレンズや画像記録部の形状などによらず安定した姿勢で肩載せしつつ良好な音声モニタが可能でハンドル部を手で持つ場合にもパッド部が邪魔にならず確実に手でハンドル部を把持できる撮像装置を提供する。【解決手段】撮像素子10Haを内部に有する略箱状の本体部10Hと、本体部10Hの上面10Htに取り付けられたハンドル部107と、ハンドル部107に取り付けられ、ケースに収納したスピーカ310からの音を外部に放出するようケースに設けられた放音孔部108aとケースに取り付けられた耳当てパッド303とを有するパッド部108と、を備える。【選択図】図１
2010109814.tif 000002
【特許請求の範囲】
【請求項１】
レンズを介して入射した光を電気信号に変換する撮像素子を内部に有する本体部と、
前記本体部の上面に取り付けられたハンドル部と、
前記ハンドル部に取り付けられ、ケースと前記ケースに収納したスピーカと前記スピーカからの音を外部に放出するよう前記ケースに設けられた放音孔部と前記ケースに取り付けられた耳当てパッドとを有するパッド部と、を備え、
前記パッド部は、前記ハンドル部に対して、前記放音孔部の中心位置を通らない位置に設定された回動軸のまわりに回動可能なよう連結されており、
前記放音孔部は、前記パッド部の回動に伴い前記レンズの光軸方向に移動するよう構成されていることを特徴とする撮像装置。
【請求項２】
一端側が前記スピーカに接続され他端側が前記ハンドル部の内部に引き込まれているコードと、前記コードを前記スピーカと前記ハンドル部との間で保持するコード保持部と、を有することを特徴とする請求項１記載の撮像装置。
【請求項３】
前記パッド部の所定の回動位置においてクリック感を発生させるクリック発生部を有することを特徴とする請求項１または請求項２記載の撮像装置。
【発明の詳細な説明】
【技術分野】
【０００１】
本発明は、撮像装置に係り、特に、スピーカを有する耳当てパッドを備えた撮像装置に関する。
【背景技術】
【０００２】
画像入力部であるカメラ部と、このカメラ部で撮像した画像を記録する画像記録部とを一体にした所謂カメラ一体型画像記録装置（以下、単に撮像装置とも称する）が普及している。
画像記録部は、静止画、動画、音声などを記録媒体に記録し、その記録媒体として、テープ、ＨＤ（ハードディスク）、光ディスク、メモリカードなどが利用される。また、一般的に、記録媒体に記録された画像等の再生も可能である。
【０００３】
この撮像装置の形態としては、大別して、本体を肩に載せて撮影を行うショルダ型（肩のせ型）と、本体を手で持って撮影を行うハンドヘルド型（手持ち型）とがある。
家庭用では、誰でも簡単に操作できるように小型化，軽量化が進み、ハンドヘルド型が主流となっている。
一方、ショルダ型は、安定して撮影できるという利点があり、特に放送用、業務用、ハイアマチュア用として使用されている。
また、主に業務用途向けとして、種々の記録媒体を用いて記録または再生が可能となるように、撮像素子を備えた画像入力部の後部に画像記録部を着脱可能としたタイプがある。
【０００４】
このような撮像装置を使用する際に、撮影と音声モニタとを同時に行えるようにすることが要望されている。そして、それを可能にするため、ショルダ型の撮像装置本体にスピーカを内蔵したものが知られている。
ところが、近年、撮像装置本体の小型化が進み、本体の高さ方向の寸法も小さくなっている。このような小型化されたショルダ型の撮像装置では、本体を肩に載せた際の耳の位置が、その本体の上部に備えられたハンドル部に位置するようになってきた。
そこで、本願の出願人は、モニタ用スピーカと耳を当てた際に良好な圧接感が得られるためのパッドとを有するパッド部をハンドル部に設けた撮像装置を提案している（特許文献１参照）。
【特許文献１】特開２００６−３０３５７１号公報
【発明の開示】
【発明が解決しようとする課題】
【０００５】
ところで、ショルダ型のカメラ一体型撮像装置は、一般的に、多彩な撮影を可能にするために、レンズ交換が可能な構造となっている。
従って、撮像装置本体に、光軸方向の長さが短い短焦点系のレンズを装着した場合と光軸方向の長さが長い長焦点系のレンズを装着した場合とでは、レンズと本体とを合わせた装置全体の光軸方向の重心位置が異なる。
【０００６】
また、撮像装置が映像記録部を交換可能としたタイプである場合には、装着される映像記録部の種類により、光軸方向の重心位置が異なる。
使用者が撮像装置を肩に乗せる際には、安定した撮影姿勢をとるために、肩の上方に撮像装置の重心位置がくるようにその撮像装置を肩載せする。
従って、本体に装着されたレンズや画像記録部に応じて、肩に載せた撮像装置のハンドル部の前後方向位置が異なってくる。すなわち、ハンドル部に対する最適な耳の位置が前後方向にずれる。
【０００７】
特許文献１に記載された撮像装置は、パッド部が、ハンドル部の後部側支柱に対して前後方向の位置が固定されて取り付けられているものであった。
従って、使用者が、撮像装置を肩の上方に撮像装置の重心位置がくるように肩載せすると、装着したレンズや画像記録部によっては、耳の位置とパッド部の位置が前後方向でずれる場合があり、改善の余地があった。
【０００８】
また、撮像装置が小型になるに伴いその前後方向の長さ（全長）も短くなっていることもあり、撮像装置を肩に載せた場合の耳の位置がハンドル部の持ち手の部分に位置する場合がある。
しかしながら、ハンドル部の持ち手の部分にパッド部を配置すると、ハンドル部を手で持つときにパッド部が邪魔になって持ちにくくなるという問題が生じる。
【０００９】
そこで、本発明が解決しようとする課題は、撮像装置が小型であっても、また、装着するレンズや画像記録部の形状などによらず、安定した姿勢で肩載せしつつ良好な音声モニタが可能で、ハンドル部を手で持つ場合にもパッド部が邪魔にならず確実に手でハンドル部を把持できる撮像装置を提供することにある。
【課題を解決するための手段】
【００１０】
上記の課題を解決するために、本願発明は手段として次の１）〜３）の構成を有する。
１）  レンズを介して入射した光を電気信号に変換する撮像素子(10Ha)を内部に有する略箱状の本体部(10H)と、
前記本体部(10H)の上面(10Ht)に取り付けられたハンドル部(107)と、
前記ハンドル部(107)に取り付けられ、ケース(KS)と前記ケース(KS)に収納したスピーカ(310)と前記スピーカ(310)からの音を外部に放出するよう前記ケース(KS)に設けられた放音孔部(108a)と前記ケース(KS)に取り付けられた耳当てパッド(303)とを有するパッド部(108)と、を備え、
前記パッド部(108)は、前記ハンドル部(107)に対して、前記放音孔部(108a)の中心(108aJ)位置を通らない位置に設定された回動軸(CL1)のまわりに回動可能なよう連結されており、
前記放音孔部(108a)は、前記パッド部(108)の回動に伴い前記レンズの光軸(CL)方向に移動するよう構成されていることを特徴とする撮像装置(10)である。
２）  一端側が前記スピーカ(310)に接続され他端側が前記ハンドル部(107)の内部に引き込まれているコード(306)と、前記コード(306)を前記スピーカ(310)と前記ハンドル部(107)との間で保持するコード保持部(304d)と、を有することを特徴とする１）に記載の撮像装置(50)である。
３）  前記パッド部(108)の所定の回動位置においてクリック感を発生させるクリック発生部(304e,301f2)を有することを特徴とする１）または２）に記載の撮像装置(50)である。
【発明の効果】
【００１１】
本発明によれば、装着するレンズや画像記録部の形状などによらず、安定した姿勢で肩載せしつつ良好な音声モニタが可能で、ハンドル部を手で持つ場合にもパッド部が邪魔にならず確実に手でハンドル部を把持できるという効果を奏する。
【発明を実施するための最良の形態】
【００１２】
本発明の実施の形態を、好ましい実施例により図１〜図１１を用いて説明する。
【００１３】
図１及び図２に示す実施例の撮像装置は、カメラ一体型の撮像装置１０である。この撮像装置１０はいわゆるショルダ型と呼ばれ、使用者の肩に載せて撮影などが行われるタイプである。
図１は撮像装置１０の左側面側から見た側面図であり、図２は撮像装置１０の右後ろ上方側から見た斜視図である。
【００１４】
ここで、前後左右上下は、図２に示すように、前を被写体側とし前後をレンズ部１０Ｌの光軸ＣＬ方向とする。
【００１５】
撮像装置１０は、撮像素子１０Ｈａと画像信号処理回路１０Ｈｄ１と音声信号処理回路１０Ｈｄ２とを内部に収めた本体部１０Ｈを有する。
【００１６】
本体部１０Ｈは、前方側のレンズ部１０Ｌと後方側の画像記録部１０Ｋとが着脱自在とされている。画像記録部１０Ｋは再生機能を有していてもよい。
撮像素子１０Ｈａはレンズ部１０Ｌを通過して入来した撮像光を電気信号に変換して出力する。
画像信号処理回路１０Ｈｄ１は、撮像素子１０Ｈａから出力された電気信号に対して種々の処理を施し画像信号として出力する。この出力された画像信号に基づき、画像記録部１０Ｋは記録媒体に画像を記録し、電子ビューファインダ１０２は画像を表示する。
音声信号処理回路１０Ｈｄ２は、マイクロフォン１０６から出力された音声信号を処理して音声出力端子２０１に送出する。音声出力端子２０１はハンドル部１０７の後方側に設けられている。
音声出力端子２０１からは、マイクロフォン１０６で収音した音声信号の他、画像記録部が再生機能を有する場合の再生音声信号，外部入力端子２０１ａ（図２参照）から入力される外部のマイクロフォンや再生機器などからの音声信号が出力され、音声出力端子２０１に接続した再生機器（イヤホンや外部スピーカなど）によってモニタできるように構成されている。
【００１７】
レンズ部１０Ｌは、長焦点レンズや短焦点レンズ、あるいはズームレンズ等種々のものから選択して装着が可能とされたレンズである。
画像記録部１０Ｋは予め備えられた記録媒体、または着脱可能として装着された記録媒体に対して画像などを記録する。記録媒体としては、テープ、ＨＤ（ハードディスク）、光ディスク、メモリカードなどがある。
【００１８】
本体部１０Ｈは略箱状の筐体１０Ｈｓを有する。
本体部１０Ｈに装着された画像記録部１０Ｋの底面（下面）側には、ショルダパッド１０１が配設されている。このショルダパットは、筐体１０Ｈｓまたは画像記録部１０Ｋに連結されている。
【００１９】
また、筐体１０Ｈｓの上面部１０Ｈｔには、ハンドル部１０７がねじ止め等により着脱自由に装着されている。
ハンドル部１０７の前方側にはアイカップ１０３を有する電子ビューファインダ１０２と上述のマイクロフォン１０６とが装着されている。また、左後方側にはパッド部１０８が装着されている。
パッド部１０８についての詳細は後述する。
レンズ部１０Ｌのレンズ筐体１０４には、レンズグリップ１０５が備えられている。
【００２０】
図２において、ハンドル部１０７の後面１０７ｂｃには、音声出力端子２０１及び外部入力端子２０１ａが備えられている。上述のように、イヤホンや外部スピーカをこの音声出力端子２０１に接続することで、音声をモニタすることができる。
【００２１】
ハンドル部１０７は、マグネシウムなどの金属のダイキャストによって枠状またはアーム状に形成されている。ハンドル部１０７は樹脂の射出成形で形成してもよい。
枠状の場合の具体的形状としては、筐体１０Ｈｓの上面部１０Ｈｔに装着するための取り付け部材などを具備した装着部１０７ａと、装着部１０７ａから前後にそれぞれ延びる前基部１０７ｂ及び後基部１０７ｃと、前基部１０７ｂ及び後基部１０７ｃのそれぞれの端部から上方に向けて延出した前支柱１０７ｄと後支柱１０７ｅと、前支柱１０７ｄと後支柱１０７ｅとの先端部を連結する把持部１０７ｆを、を有する。
装着部１０７ａ，前基部１０７ｂ，前支柱１０７ｄ，把持部１０７ｆ，後支柱１０７ｅ，及び後基部１０７ｃで囲まれて開口部１０７ｇが形成され、手でハンドル部１０７を把持する際には、この開口部１０７ｇに指が挿通される（図９参照）。
【００２２】
ハンドル部１０７には、パッド部１０８が取り付けられている。
具体的には、パッド部１０８は後支柱１０７ｂの把持部１０７ｆに近い側または両者の連結部近傍に取り付けられている。
【００２３】
パッド部１０８は、チークベース３０１とパッドホルダ３０２と（図３参照）が組み合わされてなる概ね閉じた箱状のケースＫＳ、ケースＫＳの内部に収納したスピーカ３１０，スピーカ３１０に一端側が接続され他端側にプラグ３０７を有する接続コード３０６，ケースＫＳに取り付けられ弾力性を有する耳当て３０３，及びスピーカ３１０からの音声が外部に放出される孔としてケースＫＳに設けられた放音孔部１０８ａを備えている。
そして、コード３０６の他端側のプラグ３０７を音声出力端子２０１に接続させることで、パッド部１０８による音声モニタが可能になっている。
【００２４】
パッド部１０８は、撮像装置５０の左右方向に延在するよう設定された軸ＣＬ１の周りに回動して、ハンドル部１０７に対する前後方向の位置を調整できるように装着されている。この調整構造について、パッド部１０８の構造と共に次に詳述する。
【００２５】
図３は、パッド部１０８をハンドル部１０７に取り付けた状態における図１のＢ−Ｂ断面位置に相当する断面図である。
【００２６】
図４は、ハンドル部１０７の一部を含むパッド部１０８分解斜視図である。
【００２７】
図５はチークベース３０１の四面図と２つの断面図である。すなわち、図５（ａ）が正面図、図５（ｂ）がＣ−Ｃ断面図、図５（ｃ）が上面図、図５（ｄ）がＤ−Ｄ断面図、図５（ｅ）が右側面図、図５（ｆ）が後面図である。
【００２８】
図６は、パッドホルダ３０２の六面図である。すなわち、図６（ａ）が正面図、図６（ｂ）が下面図、図６（ｃ）が上面図、図６（ｄ）が左側面図、図６（ｅ）が右側面図、図６（ｆ）が後面図である。
【００２９】
パッド部１０８は、長丸状の底部３０１ｂｔを有しその対向面側が開放された略箱状のチークベース３０１と、チークベース３０１の開放端側を塞げるように形成された長丸平板状のパッドホルダ３０２と、パッドホルダ３０２の内面３０２ａ側に取り付けられたスピーカ３１０と、パッドホルダ３０２の外面３０２ａ２側に取り付けられる耳当て３０３と、を有している。
【００３０】
図４において、ハンドル部１０７の左側面１０７ｈにおける後支柱１０７ｂの把持部１０７ｆに近い側には、突出部１０７ｊが形成されている。
【００３１】
図７は、この突出部１０７ｊを示す三面図である。
図７（ａ）は、突出部１０７ｊの正面図（撮像装置１０の左側面側から見た図）であり、図７（ｂ）は、その右側面図であり、図７（ｃ）はＦ−Ｆ断面図であり、図７（ｄ）はＧ−Ｇ断面図である。
【００３２】
図４及び図７において、突出部１０７ｊには、左側面１０７ｈに直交する軸ＣＬ１を中心として略ダブルＤカットの筒状に突出する筒状突部１０７ｊ１及び一対のボス１０７ｊ２が形成されている。ボス１０７ｊ２にはそれぞれ下穴１０７ｊ４が形成されている。
【００３３】
また、筒状突部１０７ｊ１には中心ＣＬ１を挟んで互いに対向する位置に軸ＣＬ１方向に切り込まれたスリット１０７ｊ３が一対形成されている。
また、ハンドル部１０７の左側面１０７ｈにおいて、突出部１０７ｊに対する前上方側には、ダボ１０７ｋが形成されている。
【００３４】
図４及び図６において、パッドホルダ３０２は、長丸形の平板状に形成されている。また、パッドホルダ３０２は、例えば樹脂の射出成形により形成されている。使用される樹脂の例としてＡＢＳ（アクリロニトリル・ブタジエン・スチレン）樹脂がある。
【００３５】
パッドホルダ３０２の内面３０２ａには円環状に突出する環状壁部３０２ｂが形成されている。スピーカ３１０は、この環状壁部３０２ｂの内側に嵌り込むように収められる。
パッドホルダ３０２の内面３０２ａにはボス３０２ｃが形成されており、そのボス３０２ｃの下孔に対してネジ３１２ａをねじ込むことにより、板バネであるスピーカブラケット３１１が片持ち固定されている。
また、スピーカブラケット３１１の先端側がスピーカ３１０の後面３１０ａをバネ力により付勢するようになっており、その付勢力でスピーカ３１０はパッドホルダ３０２に保持されている。
【００３６】
パッドホルダ３０２における、スピーカ３１０の放音面３１０ｂに対向する範囲には、音を外部に放出するための放音孔部１０８ａが設けられている。
放音孔部１０８ａは、小径の放音孔１０８ａ１が複数集合した概ね円形の領域として設けられている。
実施例では、スピーカ３１０の駆動軸ＫＪと放音孔部１０８ａの中心軸１０８ａＪとが一致するように設定されているが、一致せずにずれていてもよい。
スピーカ３１０には、接続コード３０６（図３に図示、図４及び図６には不図示）が電気的に接続されている。
【００３７】
図４及び図５に示すように、チークベース３０１は、長丸形状で一面側が開放した略箱状に形成されている。また、チークベース３０１は、例えば樹脂の射出成形により形成されている。使用される樹脂の例としてＡＢＳ樹脂がある。
【００３８】
チークベース３０１は、短手方向及び長手方向の中心ＣＴＲの位置に対して、長手方向に距離ｄ１だけ偏った位置を中心ＣＴＲ１とする円形の開口部３０１ｄを有している。この開口部３０１ｄの縁部には、開放した一面側へ突出する環状の周壁部３０１ｅが形成されている。
また、開口部３０１ｄに対して長手方向反対側に、一対の貫通孔３０１ｃが形成されている。
また、チークベース３０１は、中心ＣＴＲを芯として、開放した一面側の反対側に向けて突出する環状突壁部３０１ｆが形成されている。環状突壁部３０１ｆの先端面は平坦面とされており、中心ＣＴＲから同心で所定の角度範囲θで延在するように円弧状の溝３０１ｂが設けられている。
実施例において、θ≒１８０°とされている。
【００３９】
環状突壁部３０１ｆの内側面には、円周面３０１ｆ１と、その円周面３０１ｆ１における中心ＣＴＲを挟んで対向する位置に形成された一対のクリック発生部３０１ｆ２と、が設けられている。
一対のクリック発生部３０１ｆ２は、円周面３０１ｆ１の内径ｒ１を小さくする方向に突出する一対の突部３０１ｆ３をそれぞれ有している。
【００４０】
図４に示すように、ハンドル部１０７の突出部１０７ｊに対しては、テンションリング３０４，チークベース３０１，金属ワッシャ３０５，ポリスライダー（登録商標）で形成された一つ目のスライダリング３０６ａ，ウェーブワッシャ３０７，二つ目のスライダリング３０６ｂ，及びテンションプレート３０８が、その順で重ねられ、ウェーブワッシャ３０７が適度につぶれるよう押しつけた状態でネジ３１２ｂ、３１２ｃをボス１０７ｊ２にねじ込むことにより、ハンドル部１０７に固定されている。
【００４１】
詳しくは、図３に示すように、金属ワッシャ３０５，スライダリング３０６ａ，ウェーブワッシャ３０７，及びスライダリング３０６ｂは、チークベース３０１の周壁部３０１ｅの外周面に嵌合するように取り付けられる。
テンションリング３０４は、チークベース３０１とハンドル部１０７との間で突出部１０７ｊに嵌り込むように取り付けられる。
【００４２】
ウェーブワッシャ３０７は図４の軸ＣＬ１方向の与圧を発生させるように設けられている。
テンションプレート３０８には、中央部分に、ハンドル部１０７の突出部１０７ｊの外形形状に対応した形状でその突出部１０７ｊを挿通する孔３０８ｃが形成されている。
従って、テンションプレート３０８は、ハンドル部１０７に対する軸ＣＬ１まわりの回動が規制されている。
そのため、チークベース３０１は、テンションプレート３０８及びハンドル部１０７に対して軸ＣＬ１まわりに、ウェーブワッシャ３０７の弾性反発力により生じる静止及び動（摺動）摩擦力に抗した回動が可能となっている。
【００４３】
ウェーブワッシャ３０７を挟むように配置されるスライダリング３０６ａ、３０６ｂは、チークベース３０１の回動に伴う磨耗を防ぎ、安定に摺動（回動）を行うために備えられている。
また金属ワッシャ３０５はチークベース３０１が変形して摺動が不安定になるのを防止するため、剛性の補強を目的としてチークベース３０１に当接するよう配置されている。
【００４４】
また、ハンドル部１０７のダボ１０７ｋは、チークベース３０１の後面３０１ａ側に、軸ＣＬ１と一致する中心ＣＴＲから同心に所定の角度範囲θ（図５参照）で設けられた円弧状の溝３０１ｂに係合する。
従って、チークベース３０１は、概ね角度範囲θでの回動が可能となっている。
繰り返しとなるが実施例ではθ≒１８０°とされている。
【００４５】
スピーカ３１０が取り付けられたパッドホルダ３０２は、チークベース３０１の一対の孔３０１ｃを貫通してパッドホルダ３０２の下穴３０２ｄ（図６参照）にねじ込まれるねじ３１２ｄ、３１２ｅによってチークベース３０１に固定される。これにより、チークベース３０１とパッドホルダ３０２とスピーカ３１０は、ハンドル部１０７に対して一体的に回動する。
【００４６】
スピーカ３１０に接続された接続コード３０６は、図３に示すように、突出部１０７ｊの内側を通過するように引き回され、テンションリング３０４により支持されている。
【００４７】
図８は、テンションリング３０４を示す図である。図８（ａ）は正面図であり、図４の左方側から見た平面図である。図８（ｂ）は下側面図であり、図８（ｃ）は上側面図であり、図８（ｄ）は左側面図であり、図８（ｅ）はＥ−Ｅ断面図であり、図８（ｆ）は後面図である。
【００４８】
テンションリング３０４は、環状のリング部３０４ａと、中心ＣＴＲ３０４を挟んで対向するように一対設けられリング部３０４ａから外方に所定の角度範囲で延出するフランジ３０４ｂ１，３０４ｂ２と、リング部３０４ａから内方側に直線状に突出する一対の腕部３０４ｃ１，３０４ｃ２と、腕部３０４ｃ１，３０４ｃ２の先端側を連結するよう中心ＣＴＲ３０４位置に設けられたコード保持部３０４ｄと、を有している。
【００４９】
コード保持部３０４ｄには、スピーカ３１０からの接続コード３０６を嵌合させて保持する切り込み部３０４ｄ１が形成されている。
フランジ３０２ｂ１，３０２ｂ２が所定の角度範囲で形成されていることで、リング部３０４ａにおけるフランジ３０２ｂ１，３０２ｂ２が形成されていない範囲が、径方向に弾性変形可能となっている。
また、フランジ３０２ｂ１，３０２ｂ２の外周面がチークベース３０１の環状突壁部３０１ｆの内周面にガイドされて、テンションリング３０４の中心ＣＴＲ３０４を通る軸と、突出部１０７ｊの中心軸、すなわち、パッド部１０８の回動軸である軸ＣＬ１とが一致するようになっている。
【００５０】
テンションリング３０４は、樹脂の射出成形により形成される。好適な樹脂材料として、ＰＯＭ（ポリアセタール）樹脂がある。
テンションリング３０４は、ハンドル部１０７の突出部１０７ｊにおける一対のスリット１０７ｊ３に、腕部３０４ｃ１，３０４ｃ２がそれぞれ嵌り込むように取り付けられる。
【００５１】
図３にも示されるように、スピーカ３１０に接続された接続コード３０６は、コード保持部３０４ｄの切り込み部３０４ｄ１に嵌め込まれて保持される。
接続コード３０６がコード保持部３０４ｄに保持される位置は、突出部１０７ｊの中心部分となるので、チークベース３０１とパッドホルダ３０２などが一体となったパッド部１０８が軸ＣＬ１まわりに回動した際に、接続コード３０６が他の部材に引っ掛かったり、よじれたりすることが良好に防止される。従って、回動に伴う断線の可能性が極めて低く、長期にわたり高い信頼性を維持することができる。
また、テンションリング３０１のリング部３０４ａには、中心ＣＴＲ３０４を挟んで対向する位置に、外方向に突出する一対の円弧状の突起３０４ｅが形成されている。
【００５２】
突起３０４ｅの先端間距離Ｌ１（図８参照）は、チークベース３０１の環状突壁部３０１ｆにおける円周面３０１ｆ１の内径ｒ１よりも大きく設定されている。
従って、パッド部１０８を回動させた際に、テンションリング３０１の突起３０４ｅが円周面３０１ｆ１を摺動するようになっており、リング部３０４ａは内側に撓ませられて弾性反発力は発揮するので、その弾性反発力によりパッド部１０８の回動にはある程度の負荷が生じる。
【００５３】
使用者がパッド部１０８を回動させた際に、この負荷により良好な回動抵抗が感じられるように、各部材の寸法などが設定されている。
また、使用者は、パッド部１０８を回動させた際に、突起３０４ｅがクリック発生部３０１ｆ２の突部３０１ｆ３を乗り越えるとクリック感を感じることができる。また、パッド部１０８はその回動位置で簡易的に保持される。
【００５４】
実施例においては、クリック発生部３０１ｆ２を対向する１８０°間隔で一対設けているが、これに限らず、任意の回動角度位置でクリック感を発生させるように、その回動角度に応じた位置にクリック発生部３０１ｆ２を形成することは自由である。
【００５５】
スピーカ３１０と電気的に接続された接続コード３０６の引き回し経路は次の通りである。
【００５６】
接続コード３０６は、スピーカ３１０から延出した後、途中でテンションリング３０４のコード保持部３０４ｄと係合して保持される。その後ハンドル部１０７の内部に入り込み、ハンドル部１０７の突出部１０７ｊの根本部分に形成されハンドル部１０７の内外を連通するコード経路部１０７ｍ（図４参照）を経由してハンドル部１０７の内部から外部へ引き出されている。
この経路に限らず、接続コード３０６は、先端側をプラグ３０７とせずにハンドル部１０７の内部を通って直接音声信号処理回路１０Ｈｄ２に接続するようにされていてもよい。
【００５７】
パッドホルダ３０２の放音孔部１０８ａには、外部のゴミや埃がスピーカ３１０に容易に到達しないように、不織布（図示せず）が貼付されている。
パッドホルダ３０２のスピーカ３１０とは反対側の面には、長丸状で環状のパッド３０３が取り付けられている。このパッド３０３は、表面層がＰＵ（ポリウレタン）レザーで形成されると共に内部にはウレタンフォームが充填されて弾力性を有する。
【００５８】
以上詳述したように、実施例の撮像装置１０は、ハンドル部１０７に取り付けられたパッド部１０８が、回動軸ＣＬ１のまわり（図２の矢印ＲＴ方向）に所定の角度範囲で回動するようになっている。この回動は、使用者が良好な回動抵抗を感じながら行うことができる。
【００５９】
実施例において角度範囲は約１８０°とされており、少なくともその両端側でクリック感が得られる。
また、パッド部１０８において、回動軸ＣＬ１は、パッド部１０８の外形形状の中心ＣＴＲ、あるいは、スピーカ３１０からの音を放音する放音孔部１０８ａの中心から所定の距離ｄ１だけ偏倚した位置に設定されている。
また、実施例においてパッド部１０８の中心ＣＴＲは、スピーカ３１０の駆動軸と一致している。また、中心ＣＴＲは、耳に当接するパッド３０３の中心と一致するようになっている。
また、実施例では、パッド部１０８の回動角度範囲の両端において、パッド部１０８は、その長手方向が撮像装置１０の光軸ＣＬと平行になるように形状が決められている。
従って、パッド部１０８を軸ＣＬ１のまわりに回動させると、パッド部１０８の中心が光軸ＣＬ方向に移動する。実施例では、回動角度範囲が１８０°なので、ｄ１の２倍の距離範囲の間で移動する。
【００６０】
図１は、パッド部１０８を回動範囲の一方端側に位置させた状態を示し、図９は、他方端側に位置させた状態を示している。
また、図１０は、パッド部１０８の回動経路における３つの位置での姿勢を模式的に示した図である。
図１０では、実線で示すパッド部１０８が、最も前方側に位置させた図１の姿勢位置を示し、一点鎖線で示すパッド部１０８が、最も後方側に位置させた図９の姿勢位置を示し、破線で示すパッド部１０８が、その中間の姿勢位置を示している。
【００６１】
これらの図から明らかなように、レンズ部１０Ｌや画像記録部１０Ｋを装着した撮像装置１０を、安定した姿勢になるようにその重心を肩の上方に位置させて肩に載せた場合の使用者の耳の前後方向位置に、パッド部１０８のスピーカ３１０の駆動軸位置を、回動による調整で合わせることができる。
【００６２】
また、図９において、パッド部１０８は、ハンドル部１０７の開口部１０７ｇから退避した位置にある。
従って、ハンドル部１０７を手Ｍｈで持つ場合には、パッド部１０８を図９の矢印ＲＴ１方向に回動させてハンドル部１０７の開口部１０７ｇから退避する位置に移動させることにより、パッド部が邪魔にならず、開口部１０７ｇに支障なく指を入り込ませることができるので、確実に手Ｍｈでハンドル部を把持することができる
【００６３】
耳当てパッド部１０８をハンドル部１０７に取り付けた状態において、パッド３０３の耳に当接する面３０３ａ（図３参照）が本体部１０Ｈの側面と略同一の面上にあるように各部品寸法を設定することが望ましい。
【００６４】
本発明の実施例は、上述した構成に限定されるものではなく、本発明の要旨を逸脱しない範囲において変形例としてもよいのは言うまでもない。
【００６５】
実施例においてスピーカ３１０の駆動軸ＫＪとチークベース３０１の中心ＣＴＲを通る軸とが一致しているが、必ずしも一致してなくてもよい。
また、スピーカ３１０の駆動軸ｋＪと、放音孔部１０８ａの中心軸とが一致していない場合には、少なくとも、回動軸ＣＬ１に対しスピーカ３１０からの音を放出する放音孔部１０８ａの中心軸が偏倚した位置に設定されていればよい。
【００６６】
ハンドル部１０７の突出部１０７ｊは、ハンドル部１０７と一体でなくてもよい。
図１１に示すように、ハンドル部１０７に対し、上下または左右方向に延在する長孔を介してネジなどで固定されるプレート１１０７に設けてもよい。
【００６７】
図１１は、プレート１１０７の取り付けについて説明する模式図である。
ハンドル部１０７には、一対の雌ねじ１０７ｎを形成しておく。
プレート１１０７は、突出部１０７ｊに相当する突出部１１０７ｊと、上下方向に延在する一対の長孔１１０７ｊｎが形成されている。
プレート１１０７にはパッド部１０８が予め取り付けられている。
雄ねじＳＣＲを長孔１１０７ｊｎに挿通して雌ねじ１０７ｎに螺合させ、ハンドル部１０７にパッド部１０８が取り付けられたプレート１１０７を固定する。
【００６８】
この構造によれば、プレート１１０７の固定位置をハンドル部１０７に対して上下方向に移動できるので、撮像装置１０を肩載せした際のパッド部１０８への耳の当接を、よりきめ細かく調節することが可能である。
【図面の簡単な説明】
【００６９】
【図１】本発明の撮像装置の実施例を説明するための平面図（左側面図）である。
【図２】本発明の撮像装置の実施例を説明するための斜視図である。
【図３】本発明の撮像装置の実施例におけるパッド部を説明するための断面図である。
【図４】本発明の撮像装置の実施例におけるパッド部とその取り付け構造について説明する斜視的分解図である。
【図５】本発明の撮像装置の実施例におけるパッド部の構造を説明するための要部部品の図である。
【図６】本発明の撮像装置の実施例におけるパッド部の構造を説明するための他の要部部品の図である。
【図７】本発明の撮像装置の実施例におけるパッド部の取り付け構造を説明するための図である。
【図８】本発明の撮像装置の実施例におけるパッド部の構造を説明するための別の要部部品の図である。
【図９】本発明の撮像装置の実施例における作用効果を説明するための図である。
【図１０】本発明の撮像装置の実施例におけるパッド部の回動について説明するための図である。
【図１１】本発明の撮像装置の実施例における変形例を説明するための部分的斜視図である。
【符号の説明】
【００７０】
１０  撮像装置
１０Ｈ  本体部
１０Ｈａ  撮像素子
１０Ｈｄ１  画像信号処理回路
１０Ｈｄ２  音声信号処理回路
１０Ｈｓ  筐体
１０Ｈｔ  上面部
１０Ｋ  画像記録部
１０Ｌ  レンズ部
１０１  ショルダパッド
１０２  電子ビューファインダ
１０３  アイキャップ
１０４  レンズ筐体
１０５  レンズグリップ
１０６  マイクロフォン
１０７  ハンドル部
１０７ａ  装着部
１０７ｂ  前基部
１０７ｂｃ  後面
１０７ｃ  後基部
１０７ｄ  前支柱
１０７ｅ  後支柱
１０７ｆ  把持部
１０７ｇ  開口部
１０７ｈ  左側面
１０７ｊ  突出部
１０７ｊ１  筒状突部
１０７ｊ２  ボス
１０７ｊ３  スリット
１０７ｊ４  下穴
１０７ｋ  ダボ
１０７ｍ  コード経路部
１０８  パッド部
１０８ａ  放音孔部
１０８ａ１  放音孔
１０８ａＪ  （放音孔部の）中心
２０１  音声出力端子
２０１  外部入力端子
３０１  チークベース
３０１ａ  後面
３０１ｂ  溝
３０１ｂｔ  底部
３０１ｃ  貫通孔
３０１ｄ  開口部
３０１ｅ  周壁部
３０１ｆ  環状突壁部
３０１ｆ２  クリック発生部
３０１ｇ  低部
３０２  パッドホルダ
３０２ａ  内面
３０２ａ２  外面
３０２ｂ  環状壁部
３０２ｃ  ボス
３０２ｄ  下穴
３０３  耳当て
３０４  テンションリング
３０４ａ  リング部
３０４ｂ１，３０４ｂ２  フランジ
３０４ｃ１，３０４ｃ２  腕部
３０４ｄ  コード保持部
３０４ｄ１  切り込み部
３０４ｅ  突起
３０６  接続コード
３０７  プラグ
３０８  テンションプレート
３１０  スピーカ
３１０ａ  後面
３１０ｂ  放音面
ＣＬ  光軸
ＣＬ１  （回動）軸
ＣＴＲ  中心
ＫＪ  駆動軸
ＫＳ  （パッド部の）ケース
ｒ１  内径
【図１】
2010109814.tif 000003
【図２】
2010109814.tif 000004
【図３】
2010109814.tif 000005
【図４】
2010109814.tif 000006
【図５】
2010109814.tif 000007
【図６】
2010109814.tif 000008
【図７】
2010109814.tif 000009
【図８】
2010109814.tif 000010
【図９】
2010109814.tif 000011
【図１０】
2010109814.tif 000012
【図１１】
2010109814.tif 000013